(57)【要約】【課題】省力化を図れる上に廉価で、従来にない全く新奇なキャンペーン用ポスターを得る。【解決手段】表面２Ｂ，３Ａにそれぞれ異なった内容の印刷５，５Ａが施された表面紙２と下層紙３とからなり、表面紙２の裏面２Ａが下層紙３の表面３Ａに対して非転着のり２Ｄを介して剥離可能に貼着されてなり、表面紙２はその全域或いは一部分が、当落を識別できる標識４Ａが裏面に印刷された多数のシール片４で形成されている【選択図】　　　　図１
2004109295.tif 000002
【特許請求の範囲】
【請求項１】
表面にそれぞれ異なった内容の印刷が施された表面紙と下層紙とからなり、表面紙の裏面が下層紙の表面に対して非転着性の接着剤を介して剥離可能に貼着されてなり、表面紙はその全域或いは一部分が、当落を識別できる標識が裏面に印刷された多数のシール片で形成されていることを特徴とするキャンペーン用ポスター。
【請求項２】
シール片はプレスにより、タテ刃とヨコ刃の２回打ちによって形成されている請求項１記載のキャンペーン用ポスター。
【請求項３】
下層紙の表面は樹脂皮膜で覆われている請求項１記載のキャンペーン用ポスター。
【発明の詳細な説明】
【０００１】
【産業上の利用分野】
この発明は、複数の告知が可能なキャンペーン用ポスターに関する。
【０００２】
【従来の技術】
従来から、例えば時期を異ならせて、新商品を発売したりするなどのキャンペーンやバーゲンセールなどのイベントを行ったりする場合などでは、図４に示すように、第１段の告知を行うポスターを作製してこれを掲示し、この第１段のポスター０１の掲示と時期を同じくして、一般的には福引など０２を実施する。そして所定期間の第１段の告示が終了すると、第２段の告知用ポスターを作製し、先の第１段の告知用ポスター０１を取り除き、次いでその後に第２段の告知用ポスター０３を掲示するといった手法が採用されている。
【０００３】
【発明が解決しようとする課題】
しかし、斯かる従来の手法では、第１段と第２段とのポスターの作製の時期が異なり、ポスターを発注する側と受注する側との間には、打合わせ、発注、作製、納品など種々の場面において、同様の作業が繰り替えされることになり、大変効率が悪いことになる。また、ポスターの作製と別途くじ０４（図　参照）の作製を必要とする上に、福引を実施するにあたって、所用の場所の確保、テーブルやくじ入れなど福引に要する各種ツール（くじ入れ函０５）や備品（テーブル、紅白膜）を調達せねばならず、しかもくじの抽選に立ち会う要員を必要とする。また、くじ引きでは、一般に封緘されたくじが採用され、公衆、公衆に代わって立会人等が引いたくじを開封するという面倒な作業を要する。
【０００４】
そこで、本発明者等は、このような従来の手法の問題点を解消するべく鋭意検討、研究を重ねた結果、省力化を図れる上に廉価で、従来にない全く新規なキャンペーン用ポスターを創作したので、ここに提案する。
【０００５】
【課題を解決するための手段】
この発明の請求項１に記載されたキャンペーン用ポスターは、表面にそれぞれ異なった内容の印刷が施された表面紙と下層紙とからなり、表面紙の裏面が下層紙の表面に対して非転着性の接着剤を介して剥離可能に貼着されてなり、表面紙はその全域或いは一部分が、当落を識別できる標識が裏面に印刷された多数のシール片で形成されたものである。
【０００６】
【作用】
以上の構成によるキャンペーン用ポスターにおいては、シール片を剥がすことによって、その裏面に印刷された標識で直ちに当選、落選が判明する。また、所定の時期を過ぎて表面紙を、またシール片が残存すれば共々に剥離することで、次のキャンペーンやイベントの内容を告知する下層紙が直ちに現われる。
【０００７】
【発明の効果】
この発明の請求項１に記載されたキャンペーン用ポスターは、以下の効果を奏する。
すなわち、１回の掲示で、表面紙と下層紙で内容の異なる告知を時期を異ならせて掲載できるので、ポスターを貼りかえる手間を格段に省け、省力化に貢献する上に、タイムラグを埋めることができ、時宜に適した告知が可能になる。一枚のポスターを貼る感覚で、表面紙、下層紙の二つの異なった告知とくじの三役を兼ねることができ、大幅なコストダウンを図れる。くじはシール片を剥離するだけで当落が直ちに判明するので、従来の封緘されたくじを破るような煩雑な手間が省け、この点においても格段の省力化が図れる。また、くじに要するツールの印刷や備品などの用意も不用であり、選任の要員も必要としないので、コストダウンに大きく寄与する。
【０００８】
また、この発明に係るキャンペーン用ポスターは、請求項２に記載されるように、シール片はプレスにより、タテ刃とヨコ刃の２回打ちによって形成されるのが望ましい。
タテ・　ヨコ一体刃を用いる手法に比べて、シール片を作製する段階で、シール片が不必要に剥離してしまう危惧がなくなり、併せて製造コストを押えることができるからである。
【０００９】
更に、この発明に係るキャンペーン用ポスターは、請求項３に記載されるように、下層紙の表面は樹脂皮膜で覆われるのが望ましい。
シール片並びに表面紙の下層紙からの剥離をスムースに行えるからである。
【００１０】
【発明の実施の形態】
以下、この発明に係るキャンペーン用ポスターの実施の形態を図１〜３の記載に基づいて説明する。
このキャンペーン用ポスター１は、図１に示されるように、表面にそれぞれ異なった内容の印刷が施された表面紙２と下層紙３、そして表面紙２の上半部の多数のシール片４で形成されている。
【００１１】
表面紙２は、タテ約７００ｍｍ、ヨコ約５０ｍｍの大きさのコート紙（４６／１３５Ｋ）が採用され，その表面にイベントの告知内容がオフセット印刷５されている。そして、この表面紙２の裏面２Ａの上半部２Ａａで、一つ一つのシール片４に合わせて、くじの内容、具体的には「１等賞」から適宜の「Ｎ等賞」までの当選と、「残念はずれ」と表示した落選の標識４Ａがランダムに印刷されている。表面紙２の上面２Ｂの全域は、紙の保存状態を保ったり、印刷面の汚損を予防する意味から、必要に応じて樹脂素材によって表面加工２Ｃされている。例えば、シリコンフィルム（ポリプロピレンフィルムにシリコンを塗布して得られたもの）を貼着したり、溶融樹脂をコーティングして表面に皮膜を形成するなど、公知の手法が採用される。
【００１２】
そして、図３に示すように、この表面紙２の裏面２Ａは下層紙３の表面に貼着できるように、粘着加工が施されている。この粘着加工は、表面紙２の裏面２Ａ全域にわたって、非転着性の接着剤である非転着のり２Ｄ〔ＮＥ−ｔａｋ：（商品名）日栄化工株式会社製〕を塗着したものである。この非転着のりを介して、表面紙２は下層紙３の表面に貼着される。この発明で言う前記非転着のり２Ｄとは、アクリル樹脂を素材にしていて、一度剥離した後の再貼着性は全くない特性を備え、また、剥がす場合に貼着される側、つまり下層紙３の表面に粘着剤が転着せず、被着体を汚したり糊が残ったりすることない特性を備えたものを意味している。
【００１３】
また、下層紙３は、表面紙２と同様のタテ、ヨコ寸法を備えたコートカード紙（４６／１６．５Ｋ）が採用され、その表面に次の時期（例えば１ヶ月後）のイベントの告知内容がオフセット印刷５Ａされている。この下層紙３の表面３Ａの全域は、表面加工３Ｂされている。具体的な一例としては、２０μｍの厚さのシリコンフィルム（ポリプロピレンフィルムにシリコンを塗布して得られたもの）が貼着されている。また、溶融樹脂をコーティングして表面に皮膜を形成するなど、公知の手法が採用される。表面紙２並びにシール片４の剥離性能を高め、併せてこの下層紙３表面の印刷面の汚損などを予防するのに好適であるからである。
【００１４】
前記シール片４は、この発明では、表面紙２の上部約２／３を占める。左右にそれぞれ約２０ｍｍ、上方は約４０ｍｍ程の余白を残しその内方全領域に、タテ・　ヨコそれぞれ３０ｍｍの大きさの正方形を呈して、縦方向に１４列、横方向に１５列存在する。このシール片４は、アップダウン式プレスを用いて、タテ刃とヨコ刃の２回打ちをすることによって形成される。また、打つ込み寸法は、表面紙２はカット６するが、下層紙３までも剪断しない範囲に設定されるていることはいうまでもない。
【００１５】
以上、実施の形態に示されたキャンペーン用ポスターは、図２に示すように、まず、キャンペーンやイベントの開催に合わせて、所要個所に掲示される。公衆はこのポスター１の表面紙２の告知内容を見、景品などの得るべくキャンペーンやイベントに積極的に参加することになる。シール片４は、このキャンペーンやイベントに参加した公衆が所要の条件に基づいて一枚一枚剥離することができる。シール片４は、非転着のり２Ｄで下層紙３の表面に貼着されているので、簡便に剥離でき、また、一度剥離すると再び貼着することはできない。そして、剥離するだけでその裏面に印刷されている標識によって、直ちに当落が判明し、従来の封緘されたくじと違って、いちいち破る手間が全く不要になり、スピード感に溢れるくじが行えるようになる。所要期間（例えば１ヶ月）のキャンペーンやイベントが終了すると、直ちに表面紙２をシール片４共々下層紙３表面から剥離する。表面紙２を剥離すると、直ちに下層紙３の表面が露出し、その表面に印刷された次のキャンペーンやイベントを直ちに、間髪を入れずに公衆に告知できる。表面紙２と下層紙３を貼着するのは、非転着のり２Ｄであるから、下層紙３の表面にこの非転着のり２Ｄの貼着剤が付着して残存するおそれがまったくなく、美麗な表面で告知内容を公衆に提示できる。
【００１６】
このように、実施の形態に示されたキャンペーン用ポスターは、ポスターにくじが組み込まれた全く新規な形態を備えたポスターである。そして、一枚を掲示する感覚で表面紙２と下層紙３によって、内容の異なった告知を、時期を異ならせていながらもタイムラグ無く二つの告知を行え、張替えの手間も不要で、能率の良い告知を可能にする。また、言わば一枚のポスターで表面紙、下層紙のふたつの告知と、シール片によるくじとの三役を兼ねる事ができ、ポスターを発注する側と受注する側との間の度重なる打合わせ、発注、作製、納品など種々の作業の簡素化が図られ、作業の高効率化、省力化を図れ、その結果コストダウンに大きく貢献できる。また、キャンペーンやイベントを行う上で、関連するツールの作製がポスターの作製作業に絡めて一挙に行えるので、製作工程が少なく、しかも容易に作製できることから、コストダウンを図れる。くじに要するツールの印刷や備品などの用意も不用であり、選任の要員も必要としないので、コストダウンに大きく寄与する。シール片を形成するに当たっては、アップダウン式プレスを用いて、タテ刃とヨコ刃の２回打ちをすることによって形成されるものであるから、タテ・　ヨコ一体刃を用いる手法に比べて、シール片を作製する段階で、シール片が不必要に剥離してしまう危惧がなくなり、併せて製造コストを押えることができる。
【図面の簡単な説明】
【図１】この発明の実施の形態におけるキャンペーン用ポスターの全体を示し、一部を取り出して拡大した要部の拡大図を含む説明斜視図である。
【図２】この発明の実施の形態におけるキャンペーン用ポスターの掲示の仕様を示す説明図である。
【図３】この発明の実施の形態におけるキャンペーン用ポスターの層構造を示し、図１中Ａ−Ａ線に沿って切断した端面を表す拡大端面図である。
【図４】従来の掲示の仕様を示す説明図である。
【符号の説明】
１…容器，２…表面紙，２Ａ…裏面，２Ａａ…上半部，２Ｂ…表面，２Ｄ…非転着のり，３…下層紙，３Ａ…表面，３Ｂ…表面加工，４…シール片，４Ａ…標識。
【図１】
2004109295.tif 000003
【図２】
2004109295.tif 000004
【図３】
2004109295.tif 000005
【図４】
2004109295.tif 000006